(57)【要約】【課題】衣類における曲線および直線形状をなす開口部周縁のほつれ止めの後処理を不要化して前記周縁が外衣に現れたり、着用感を損なうことのない切りっぱなし開口部を有する衣類を提供すること。【解決手段】少なくとも１つの開口部の周縁一部乃至全部が曲線で構成される切りっぱなし仕様である衣類であって、ほつれ止め機能がある編地よりなる。【選択図】図１
2005113349.tif 000002
【特許請求の範囲】
【請求項１】
少なくとも１つの開口部の周縁一部乃至全部が曲線で構成される切りっぱなし仕様である衣類であって、ほつれ止め機能がある編地よりなることを特徴とする切りっぱなし開口部を有する衣類。
【請求項２】
前記ほつれ止め機能がある編地が、熱融着弾性糸とそれ以外の糸をプレーティング編により編みたてられた編地であることを特徴とする請求項１に記載の切りっぱなし開口部を有する衣類。
【請求項３】
前記熱融着弾性糸が、低融点ポリウレタン弾性糸であることを特徴とする請求項２に記載の切りっぱなし開口部を有する衣類。
【請求項４】
前記切りっぱなし仕様とされる開口部が、首回り部、脇回り部、袖口部、裾周り部の少なくとも１つであるアンダーシャツであることを特徴とする請求項１〜３のいずれかに記載の切りっぱなし開口部を有する衣類。
【請求項５】
前記切りっぱなし仕様とされる開口部が、腰回り部、裾周り部の少なくとも１つであるパンツであることを特徴とする請求項１〜３のいずれかに記載の切りっぱなし開口部を有する衣類。
【発明の詳細な説明】
【技術分野】
【０００１】
本発明は、アンダーシャツ、パンツ等の下着類に適用される切りっぱなし開口部を有する衣類に関するものである。
【背景技術】
【０００２】
一般に、衣類は生地を裁断・縫製して製造される。また、衣類の開口部は、生地の裁断端縁を折り返して縫着したり、テープ等の別布で包み込んで縫着したりして端縁周囲のほつれ止めの後処理が施されるのが普通である。さらに、生地の継ぎ合わせ部は、縫製加工で継ぎ合わされるのが普通である。
ところが生地の裁断端縁や開口部の裁断端縁のほつれ止めの後処理作業は、かなりの縫製手間がかかり、且つ下着のヘムラインが凸条等になって外衣に現れたり、着用感を損なうなどの問題となっており、これらの点について改善が要望されていた。
【０００３】
上記要望を満たすために、連続的に単位ニット衣服を複数編成する際に、単位ニット衣服間に低融点ナイロン糸を分離用糸として挿入編成し、ついで前記分離用糸を加熱溶融して各単位ニット衣服を分離することにより、分離部分についてのほつれ止め後処理の縫製加工を不要化したものが公知である（例えば、特許文献１参照）。
また、近時ファッション化が進行し、適度の伸縮性があって身体に気持ちよくフィットするたて編地でヘムラインが外衣を通して外観に現れない所謂切りっぱなし開口部を有する衣類が知られている（例えば、特許文献２参照）。
【特許文献１】特開平１０−８３６１号公報
【特許文献２】特開２００３−１４７６１８号公報
【発明の開示】
【発明が解決しようとする課題】
【０００４】
前記、特許文献１は、単位ニット衣服の分離端縁に沿って低融点ナイロン糸でほつれ止め編目を構成しているため、上記分離部分は、コースに沿って直線状にしか形成出来なかった。
また、特許文献２のたて編地は、非弾性糸と弾性糸とを単に同行させた１×１編み組織を基本としたものであって、しかも、少なくとも１方の糸を閉じ目とするたて編地であるために生地全体が厚地となり、ガードル用などの厚地の衣類に用途が限定され、薄地の衣類には適用できないという問題点があった。
【課題を解決するための手段】
【０００５】
前記課題を解決するために本発明は、少なくとも１つの開口部の周縁一部乃至全部が曲線で構成される切りっぱなし仕様である衣類であって、ほつれ止め機能がある編地よりなる切りっぱなし開口部を有する衣類を提供するものである。なお、上記開口部は、衣類の全ての開口部でもよく、また、１つの開口部や、２つ以上の複数の開口部であってもよいもので、しかも、その開口部は、周縁全部が曲線で構成されている場合だけでなく、一部が曲線で構成されたもの、即ち、曲線と直線の組み合わさった構成の開口部でもよい。
また、本発明は、前記ほつれ止め機能がある編地が、熱融着弾性糸とそれ以外の糸をプレーティング編により編みたてられた編地であることを特徴としている。
【０００６】
また、本発明は、前記熱融着弾性糸が、低融点ポリウレタン弾性糸であることを特徴としている。
また、本発明は、前記切りっぱなし仕様とされる開口部が、首回り部、脇回り部、袖口部、裾周り部の少なくとも１つであるアンダーシャツであることを特徴としている。
また、本発明は、前記切りっぱなし仕様とされる開口部が、腰回り部、裾周り部の少なくとも１つであるパンツであることを特徴としている。
【発明の効果】
【０００７】
本発明によれば、縫製の手間を不要化するとともに開口部周縁のほつれ止めの後処理を不要化して嵩張りを防止し着用感を改善し得る切りっぱなし開口部を有する衣類、特に、薄地の衣類を提供することができる。
【発明を実施するための最良の形態】
【０００８】
図１〜図５は本発明に係る無縫製衣類の異なる実施形態を例示しているものであって、以下、これらを順に説明する。
先ず、図１は袖なし型アンダーシャツに本発明を適用したものであって、前身頃１と後身頃２とは筒状の１枚生地から所定の裁断線に沿って複数枚に裁断され（図示省略）、脇回り部３、首回り部４及び下端裾周り部５が形成され、脇腹部６は一連に連続しており、肩部７のみが生地の継ぎ合わせ部８とされている。
上記生地は、ほつれ止め機能のある編地が使用される。このほつれ止め機能のある編地は、熱融着弾性糸とそれ以外の糸をプレーティング編により編み立てられたものとされている。上記熱融着弾性糸は、低融点ポリウレタン弾性糸が使用されている。
【０００９】
なお、プレーティング編は、複数本の糸をそれぞれ別の給糸口から、編み針に給糸する方法で、編成ループそれぞれの糸の配置が安定的に定まる作用がある。従って、熱融着弾性糸とそれ以外の糸とを別の給糸口から編み針に給糸して編み立てられたプレーティング編地は、各編成ループにおける熱融着弾性糸とそれ以外の糸との配置が安定しているため、全てのループに熱融着弾性糸を隣接させることができ、これをヒートセット加工などにより熱融着弾性糸を溶融してほつれ止め機能を付与すれば、編地の全てのループのほつれ止めが完全に施される利点がある。
【００１０】
本発明で使用する編地は、例えば、フライス（１×１ゴム編）やその他のメリヤス生地として丸編み機その他各種の編み機によって薄地のヨコ編地に編成される。
上記丸編み機による筒状生地の編成に際して、アンダーシャツ用生地の場合ではアンダーシャツの下端となる部分、パンツ用生地の場合ではパンツの上端となる部分は、直線状に裁断されると共に、筒状生地の裁断位置が所定長さごとに予め決まっているため、筒状生地の筒軸方向（長手方向）の所定長さごとに、水溶性ナイロン糸を挿入して編成し、仕上がった筒状生地を水に浸漬して水溶性ナイロン糸を溶失除去させてほつれ止め直線状切りっぱなしヘムとして分離させてもよい。
【００１１】
図２は半袖型アンダーシャツに本発明を適用したもので、図１と異なる点は、袖部分１５が脇回り部３に縫着あるいは接着して継ぎ合わされている点であり、他の点は図１と同一の構成であるので、同一構成部分には同一符号を付してその説明を省略する。
図３はトランクス型パンツに本発明を適用したもので、前身頃１６と後身頃１７とは筒状の１枚生地から所定の裁断線に沿って生地の長手方向に等間隔に裁断され、股下部１８、腰回り部１９及び脚回り部２０が形成され、両側部２１は一連に連続しており、股下部１８のみが生地の継ぎ合わせ部８とされている。この場合においても、生地の継ぎ合わせ部８は、縫着あるいは接着されるものである。他の構成は図１と同様である。なお、腰回り部１９については、丸編み機の編成工程において、熱融着弾性糸を増加して編成することにより、他の部分よりも伸縮性を大きく編成した部分を生地の長手方向に等間隔に挿入して編成してもよい。このようにすれば、腰回り部１９は、ゴムテープ縫着や、ゴム紐挿入などの手間を省略することができる。
【００１２】
図４は女性用ノースリーブアンダーシャツに本発明を適用した場合であって、この場合も図１と同様に、前身頃１と後身頃２とは筒状の１枚生地から裁断され、脇回り部３、首回り部４及び下端裾周り部５が形成され、脇腹部６は一連に連続しており、肩部７のみが生地の継ぎ合わせ部８とされ縫着或いは接着されている。使用する生地は、図１と同様である。
図５は女性用ショーツに本発明を適用した場合であって、この場合、前身頃２２と後身頃２３は連続しているが前身頃２２の中央部で分離した状態で展開した形状で裁断され、股下部２４が別に裁断され、先ず、前身頃２２の左右両端を重ね合わせて縦方向の継ぎ合わせ部８を構成し、次に、股下部２４の前端と前身頃２２の下端中央部とを重ね合わせて継ぎ合わせ部８とし、股下部２４の後端と後身頃２３の下端中央部とを重ね合わせて継ぎ合わせ部８とし、これによって、上端腰回り部２５と脚回り部２６とを開口部として形成させたものである。この場合にも、各継ぎ合わせ部８は縫着あるいは接着される。使用する生地は図１と同様なプレーティング編地を丸編機で編成したものが使用される。
【００１３】
以上の各実施形態において、本発明は、熱融着弾性糸とそれ以外の糸とを別の給糸口から編み針に給糸して編み立てられたプレーティング編地をヒートセット加工などによりほつれ止め機能を付与して適宜のデザインに対応した形状寸法に裁断されて切りっぱなし開口部を有する衣類とされる。このようにほつれ止め機能が付与されたプレーティング編地により構成された衣類の開口部は、切りっぱなし仕様のままでも開口部周縁がほつれることがないため、面倒なほつれ止め後処理が不要化できる。また、衣類の継ぎ合わせ部は、熱融着テープ等を介在させてアイロンなどで加熱加圧して継ぎ合わせることができ、縫製加工を不要化することができる。このような融着による継ぎ合わせ部の接合は、縫い糸の縫い目による接合よりも、接合面積が大きくなるため、接合強度を上げることができる。しかも、継ぎ合わせ部の嵩張りを薄くでき、外衣を通して浮き出すことも軽減できる。このように、本発明の衣類は、開口部を切りっぱなし仕様とできることと、継ぎ合わせ部を薄くできることとから、従来の衣類の着用感を大きく改善することができ、ファッション性にも優れた衣類を提供することができるものである。
【００１４】
本発明の実施形態は以上からなるが、本発明は、使用する生地は平編み機で編成された生地を使用して前身頃と後身頃とを両側部で継ぎ合わせて使用しても良い。また、本発明は、図示した形態以外の形態で各種の下着類やその他の衣類に適用することができるものである。
【図面の簡単な説明】
【００１５】
【図１】本発明の衣類の第１実施形態の概略正面図である。
【図２】本発明の衣類の第２実施形態の概略正面図である。
【図３】本発明の衣類の第３実施形態の概略正面図である。
【図４】本発明の衣類の第４実施形態の概略正面図である。
【図５】本発明の衣類の第５実施形態の概略正面図である。
【符号の説明】
【００１６】
１    前身頃
２    後身頃
３    脇回り部
４    首回り部
５    裾周り部
６    脇腹部
７    肩部
８    継ぎ合わせ部
【図１】
2005113349.tif 000003
【図２】
2005113349.tif 000004
【図３】
2005113349.tif 000005
【図４】
2005113349.tif 000006
【図５】
2005113349.tif 000007